(57)【要約】【課題】音声合成ＩＣ等の音声合成信号出力手段が暴走しても確実に復旧させてユーザに音声ガイダンスや注意喚起を報知することができる給湯装置の遠隔制御装置を得ること。【解決手段】ユーザが給湯温度設定ＳＷを操作すると（ステップＳ４１：Ｙｅｓ）、ユーザに報知するＳＷ操作受付音“ピッ”を音声合成ＩＣに出力させる前に、音声合成ＩＣをリセットし（ステップＳ４２）、その後、音声合成ＩＣにＳＷ操作受付音“ピッ”を出力させる指示を発行し（ステップＳ４３，Ｓ４４）、ユーザにＳＷ操作受付音“ピッ”を報知する（ステップＳ４５）。【選択図】        図５
2008185227.tif 000002
【特許請求の範囲】
【請求項１】
給湯装置において、給湯温度を給湯温度指令値に近づけるように制御する給湯制御手段に通信線を介して前記給湯温度指令値を送信する遠隔制御装置が、ユーザが操作入力した給湯温度から前記給湯温度指令値を生成する演算処理手段と、前記演算処理手段の出力指示に従って音声合成信号を出力する音声合成信号出力手段とを備える場合に、
前記演算処理手段は、前記音声合成信号出力手段に音声合成信号の出力指示を発行する前に、前記音声合成信号出力手段をリセットするリセット手段
を備えていることを特徴とする給湯装置の遠隔制御装置。
【請求項２】
給湯装置において、給湯温度を給湯温度指令値に近づけるように制御する給湯制御手段に通信線を介して前記給湯温度指令値を送信する遠隔制御装置が、ユーザが操作入力した給湯温度から前記給湯温度指令値を生成する演算処理手段と、前記演算処理手段が指定した音声合成信号を生成する音声合成信号出力手段とを備える場合に、
前記演算処理手段は、
前記音声合成信号出力手段に音声合成信号の出力指示を発行してからの経過時間を計測する出力指示経過時間計測手段と、
前記出力指示経過時間計測手段が所定経過時間計測した後に前記音声合成信号出力手段をリセットするリセット手段と
を備えていることを特徴とする給湯装置の遠隔制御装置。
【請求項３】
前記演算処理手段の指示に従って前記音声合成信号出力手段への電源供給とその停止とを行う電源操作手段を備え、
前記演算処理手段は、前記音声合成信号出力手段に音声合成信号の出力指示を発行する場合に、前記電源操作手段に前記音声合成信号出力手段への電源供給を開始させる指示を発行する
ことを特徴とする請求項１または２に記載の給湯装置の遠隔制御装置。
【請求項４】
給湯装置において、給湯温度を給湯温度指令値に近づけるように制御する給湯制御手段に通信線を介して前記給湯温度指令値を送信する遠隔制御装置が、ユーザが操作入力した給湯温度から前記給湯温度指令値を生成する演算処理手段と、前記演算処理手段が指定した音声合成信号を生成する音声合成信号出力手段とを備える場合に、
前記演算処理手段の指示に従って前記音声合成信号出力手段への電源供給とその停止とを行う電源操作手段と、
前記電源操作手段が前記音声合成信号出力手段に電源供給を開始してからの所定時間経過後に前記音声合成信号出力手段をリセットするリセット手段と
を備え、
前記演算処理手段は、前記音声合成信号出力手段に音声合成信号の出力指示を発行する場合に、前記電源操作手段に前記音声合成信号出力手段への電源供給を開始させる指示を発行する
ことを特徴とする給湯装置の遠隔制御装置。
【請求項５】
前記演算処理手段は、前記音声合成信号出力手段に音声合成信号の出力指示を発行する前に、前記音声合成信号出力手段をリセットするリセット手段を備えていることを特徴とする請求項４に記載の給湯装置の遠隔制御装置。
【請求項６】
前記音声合成信号出力手段は、前記演算処理手段の指示に従って消費電力を操作できる電源操作手段を備え、
前記演算処理手段は、前記音声合成信号出力手段に音声合成信号の出力指示を発行してからの所定時間経過後に、前記電源操作手段に前記音声合成信号出力手段の消費電力を低下させる指示を発行する
ことを特徴とする請求項１または２に記載の給湯装置の遠隔制御装置。
【発明の詳細な説明】
【技術分野】
【０００１】
この発明は、給湯装置の遠隔制御装置に関し、特に、給湯装置のユーザに対して操作案内の音声ガイダンスや音声以外の可聴音による注意喚起を行う機能を備えた遠隔制御装置に関するものである。
【背景技術】
【０００２】
近年、音声波形をそのまま記録せずに、単語や音節等の音声要素単位（音声フレーズ）のデジタルデータとして記録し、それらの音声フレーズを単独で、あるいは複数組み合わせてアナログ信号からなる文章情報（音声メッセージ）として再生する音声合成装置が集積回路（ＩＣ）化されて普及しており、最近では、給湯装置の遠隔制御を行ういわゆるリモコンである遠隔制御装置においてもこの種の音声合成装置（音声合成ＩＣ）を備え、給湯装置のユーザに対して音声ガイダンスや音声以外の可聴音による注意喚起を行えるようにしたものが提案されている。つまり、音声ガイダンスや注意喚起を行う遠隔制御装置を備えた給湯装置では、音声ガイダンスや注意喚起に従った給湯制御が行われる。
【０００３】
ところで、音声合成ＩＣは、演算処理装置を中心に構成されるので、誤動作して暴走する場合がある。この場合、給湯装置では、正常な制御動作が行われないことが起こり、給湯温度の異常高温など不測の事態が想定される。そのために、給湯装置の遠隔制御装置では、音声合成ＩＣが暴走しても、確実に音声ガイダンスや注意喚起が実施できるようになっていなければならない。
【０００４】
音声合成ＩＣの暴走に対する方策として、例えば特許文献１では、一定時間間隔で音声合成信号の出力中か否かを確認し、出力中でない場合に、つまり、センテンスの切替タイミングあるいは音声合成信号が出力されていない無音声のタイミングである場合に、音声合成ＩＣを初期化する第１の方法と、音声フレーズが予め設定されていた発生時間で終了しないときに暴走検知出力を発生し、その暴走検知出力を受けて音声合成ＩＣの復旧処理を行う第２の方法とが提案されている。
【０００５】
【特許文献１】特開２０００−４７８４８号公報（音声出力制御システム）
【発明の開示】
【発明が解決しようとする課題】
【０００６】
しかしながら、上記特許文献１に開示の第１の方法では、一定時間間隔がどのような時間間隔か不明であるが、その時間間隔内で暴走が発生した場合、暴走発生後に音声フレーズを出力できない。
【０００７】
また、上記特許文献１に開示の第２の方法では、音声合成ＩＣが暴走してからでないとリセットを掛けて復旧処理を行うことができない。また、音声合成ＩＣが音声合成信号を出力したままになってしまう暴走状態は復旧可能であるが、音声合成信号を出力しない暴走状態、すなわち見かけ上、直ぐに音声合成信号の出力を完了してしまうような暴走状態では復旧処理を行うことができない。
【０００８】
一方、給湯装置では、２４時間連続稼働する場合が多いが、実際にユーザが操作する時間は決して長くなく相当な待機時間があるので、待機電力を低減させる方策を検討すべきとの要請が強い。
【０００９】
この発明は、上記に鑑みてなされたものであり、音声合成ＩＣ等の音声合成信号出力手段が暴走しても確実に復旧させてユーザに音声ガイダンスや注意喚起を報知することができる給湯装置の遠隔制御装置を得ることを目的とする。
【００１０】
この発明は、２４時間連続稼働する状況下において待機電力の低減を可能にする給湯装置の遠隔制御装置を得ることを目的とする。
【課題を解決するための手段】
【００１１】
上述した目的を達成するために、この発明は、給湯装置において、給湯温度を給湯温度指令値に近づけるように制御する給湯制御手段に通信線を介して前記給湯温度指令値を送信する遠隔制御装置が、ユーザが操作入力した給湯温度から前記給湯温度指令値を生成する演算処理手段と、前記演算処理手段の出力指示に従って音声合成信号を出力する音声合成信号出力手段とを備える場合に、前記演算処理手段は、前記音声合成信号出力手段に音声合成信号の出力指示を発行する前に、前記音声合成信号出力手段をリセットするリセット手段を備えていることを特徴とする。
【００１２】
この発明によれば、音声合成信号出力手段を、音声合成信号を出力する前にリセットしてから音声合成信号を出力するように制御できるので、音声合成信号出力手段である音声合成ＩＣが暴走しても確実に復旧させてユーザに音声ガイダンスや注意喚起を報知することができる。
【発明の効果】
【００１３】
この発明によれば、音声合成信号出力手段である音声合成ＩＣが暴走しても確実に復旧させてユーザに音声ガイダンスや注意喚起を報知することができるという効果を奏する。
【発明を実施するための最良の形態】
【００１４】
以下に図面を参照して、この発明にかかる給湯装置の遠隔制御装置の好適な実施の形態を詳細に説明する。
【００１５】
実施の形態１．
図１は、この発明の実施の形態１による遠隔制御装置を備えた給湯装置の構成を示す図である。この実施の形態では、主に割安な深夜電力によってヒートポンプを駆動してタンクに貯湯し、それを給湯熱源として使用する貯湯式給湯装置を例に挙げて説明する。
【００１６】
図１において、給湯装置１０は、主な構成要素として、貯湯タンク１１、ヒートポンプ本体１２、給湯用混合弁１３、温度センサ１４ａ，１４ｂ，１４ｃ、制御装置１５、遠隔制御装置１６を備えている。
【００１７】
直立配置される貯湯タンク１１の下部には、水道水を導入する給水配管２０が接続されている。この給水配管２０の途中には、給水バイパス管２１の一端が接続され、給水バイパス管２１の他端は給湯用混合弁１３の一方の入力ポートに接続されている。給湯用混合弁１３の他方の入力ポートは出湯配管２２を通して貯湯タンク１１の上部に接続されている。給湯用混合弁１３の出力ポートは給湯配管２３を通して一般給湯管２４に接続され、一般給湯管２４は蛇口２５等の出湯口に接続される。
【００１８】
ヒートポンプ本体１２は、加熱循環回路２６を通して貯湯タンク１１の上下部に接続されている。ヒートポンプ本体１２は、制御装置１５の制御下に、内部に配置された循環ポンプ（図示せず）によって貯湯タンク１１の下部から水をヒートポンプ本体１２内に導入し、外気との熱交換を行って高温の湯に沸き上げ、ヒートポンプ本体１２内から貯湯タンク１１の上部に戻す動作を行う。
【００１９】
給湯用混合弁１３は、制御装置１５の制御下に、給水バイパス管２１から供給される水道水と出湯配管２２から供給される高温水とを混合し、給湯配管２３、一般給湯管２４を経由し、蛇口２５等の出湯口から出湯する。
【００２０】
温度センサ１４ａは、加熱循環回路２６の貯湯タンク１１下部側に取り付けられ、貯湯タンク１１の下部から取り出す水の温度を制御装置１５に与える。温度センサ１４ｂは、貯湯タンク１１の上部に取り付けられ、貯湯タンク上部に蓄えられている出湯温度を制御装置１５に与える。また、温度センサ１４ｃは、給湯配管２３に取り付けられ、給湯温度を制御装置１５に与える。
【００２１】
遠隔制御装置１６は、通信線２７を介して制御装置１５と接続されている。遠隔制御装置１６は、ユーザが指示した給湯温度指令値を制御装置１５に対して通信によって伝達する。制御装置１５は、温度センサ１４ｃによって検出された給湯温度検出値が給湯温度指令値に近づくように、給湯用混合弁１３を操作制御する。
【００２２】
なお、遠隔制御装置１６は、当該給湯装置１０が家庭用であるときは、利便性を向上させるために、家庭で給湯利用される浴室や台所などの複数箇所に配置され、それぞれ制御装置１５と通信可能とする構成を採る場合が多い。
【００２３】
まず、図１を参照して、貯湯タンク１１に所望温度の湯を貯湯する動作と、蛇口２５からの一般給湯を行う場合の動作とを説明し、その後に、図２〜図５を参照して、この実施の形態１による遠隔制御装置１６の動作について説明する。
【００２４】
貯湯タンク１１に所望温度の湯水を貯湯する動作は、次のような手順で行われる。すなわち、図示しない一般水道管から給水配管２０に導入される給水（水道水）は、図示しない減圧弁によって所定圧に減圧されて貯湯タンク１１の下部側から供給される。これによって、貯湯タンク１１内は、常に満水状態になっている。
【００２５】
制御装置１５は、遠隔制御装置１６から沸き上げ開始の指示を受け取ると、ヒートポンプ本体１２に沸き上げ動作の開始指示を発行する。ヒートポンプ本体１２では、内蔵の循環ポンプを駆動し、貯湯タンク１１内の水を下部から加熱循環回路２６を通してヒートポンプ本体１２内に取り込み（図１中、矢印ａ）、外気との熱交換を行って設定された温度（例えば９０℃）になるように加熱昇温し、沸き上げた湯水が加熱循環回路２６を通して貯湯タンク１の上部に戻される（図１中、矢印ｂ）。
【００２６】
以上の沸き上げ動作を繰り返すことによって、貯湯タンク１１の上部側から下部側に向かって９０℃の湯水が少量ずつ貯湯されていく。制御装置１５は、貯湯タンク１１の下部側から取り出す湯水の温度センサ１４ａによる検出温度が所定温度（例えば６０℃）以上になると、貯湯タンク１１内の湯水は全量沸き上がったと判断し、ヒートポンプ本体１２に沸き上げ動作の終了指示を発行する。
【００２７】
次に、蛇口２５から一般給湯を行う場合の動作について説明する。この場合は、制御装置１５は、温度センサ１４ｂ，１４ｃの各検出温度を監視している。また、制御装置１５は、遠隔制御装置１６からユーザが指定した給湯温度に基づく給湯温度指令値が入力されている。そこで、ユーザが蛇口２５を開くと、給水バイパス管２１を経由して供給される水道水（図１中、矢印ｃ）と、貯湯タンク１１の上部から出湯配管２２を通して供給される高温水（図１中、矢印ｄ）とが、制御装置１５の制御下に動作する給湯用混合弁３にてユーザが設定した所望温度に混合され、給湯配管２３、一般給湯配管２４を経由して給湯が行われる（図１中、矢印ｅ）。
【００２８】
さて、図２は、図１に示す遠隔制御装置１６の構成例を示すブロック図である。図２に示すように、遠隔制御装置１６は、例えば、演算処理手段であるマイクロコントロールユニット（ＭＣＵ）３０と、ＭＣＵ３０と制御装置１５との間に介在する通信インタフェース（通信Ｉ／Ｆ）３１と、ＭＣＵ３０にＳＷ入力インタフェース（ＳＷ入力Ｉ／Ｆ）３２を介して接続される沸き上げ湯量設定ＳＷ３３と、ＭＣＵ３０にＳＷ入力Ｉ／Ｆ３４を介して接続される給湯温度設定ＳＷ３５と、ＭＣＵ３０に表示装置Ｉ／Ｆ３６を介して接続される表示装置３７と、ＭＣＵ３０に接続される音声合成信号出力手段としての音声合成ＩＣ３８と、音声合成ＩＣ３８が出力する可聴音信号を増幅する増幅器３９と、増幅器３９によって発音駆動されるスピーカ４０とを備えている。
【００２９】
ＭＣＵ３０は、当該遠隔制御装置１６の各種の制御プログラム、例えば、制御装置１５との通信を司る通信処理プログラム、ユーザが操作する沸き上げ湯量設定ＳＷ３３及び給湯温度設定ＳＷ３５、表示装置３７や音声合成ＩＣ３８に関する信号処理を司る信号処理プログラム、音声合成ＩＣ３８のリセット処理を司るリセット処理プログラム、各要素の正常性を監視する診断プログラムなどを図示しないＲＯＭに格納して実行する。
【００３０】
ユーザが沸き上げ湯量設定ＳＷ３３を操作して沸き上げ湯量を設定すると、ＳＷ入力Ｉ／Ｆ３２を通してＭＣＵ３０に取り込まれる。ＭＣＵ３０は、ユーザが操作入力した沸き上げ湯量を表示装置Ｉ／Ｆ３６を通して表示装置３７に表示するとともに、深夜時間帯に沸き上げる湯量の設定情報を生成し通信Ｉ／Ｆ３１、通信線２７を通して制御装置１５に伝達する。
【００３１】
ユーザが給湯温度設定ＳＷ３５を操作して給湯温度を設定入力すると、ＳＷ入力Ｉ／Ｆ３４を通してＭＣＵ３０に取り込まれる。ＭＣＵ３０は、ユーザが操作入力した給湯温度から適切な給湯温度指令値を生成し通信Ｉ／Ｆ３１、通信線２７を通して制御装置１５に伝達するとともに、生成した給湯温度指令値を表示装置Ｉ／Ｆ３６を通して表示装置３７に表示する。
【００３２】
ＭＣＵ３０は、通信Ｉ／Ｆ３１、通信線２７を通して制御装置１５と通信して制御装置１５による給湯装置１０の運転状態を取り込み、それを表示装置Ｉ／Ｆ３６を通して表示装置３７に表示する。
【００３３】
そして、ＭＣＵ３０が、制御装置１５から取り込んだ給湯装置１０の運転状態や、ユーザの操作入力に対し必要に応じて音声合成ＩＣ３８を駆動制御して所望のメッセージや可聴音を合成出力させると、音声合成ＩＣ３８の音声合成出力信号が、増幅器３９にて増幅され、スピーカ４０から必要な音声ガイダンスのメッセージや注意喚起の可聴音等が出力されるが、この実施の形態１では、ＭＣＵ３０は、音声合成ＩＣ３８を駆動制御して所望の音声合成信号を出力させる前に、例えば図５に示すような方法で、リセット処理を実行するようになっている。
【００３４】
次に、図３は、図２に示す給温度設定スイッチ（給温度設定ＳＷ）３５の構成例及びＭＣＵ３０との関係とを説明する図である。図３において、給湯温度設定ＳＷ３５は、例えば、給湯温度上昇設定ＳＷ３５ａと給湯温度下昇設定ＳＷ３５ｂとで構成される。給湯温度上昇設定ＳＷ３５ａと給湯温度下降設定ＳＷ３５ｂとは、共に、例えばプッシュスイッチである。給湯温度上昇設定ＳＷ３５ａと給湯温度下降設定ＳＷ３５ｂとは、一端が共通に接地され、他端が共通にＳＷ入力Ｉ／Ｆ３４に接続されている。
【００３５】
ＳＷ入力Ｉ／Ｆ３４は、電源Ｖｃｃと、抵抗器Ｒ１，Ｒ２，Ｒ３，Ｒ４とで構成されている。抵抗器Ｒ１は、一端が電源Ｖｃｃに接続され、他端が給湯温度上昇設定ＳＷ３５ａの他端と抵抗器Ｒ２の一端とに接続されている。同様に、抵抗器Ｒ３は、一端が電源Ｖｃｃに接続され、他端が給湯温度下降設定ＳＷ３５ｂの他端と抵抗器Ｒ４の一端とに接続されている。そして、抵抗器Ｒ２の他端は、ＭＣＵ３０の入力ポート３０ａに接続され、抵抗器Ｒ４の他端は、ＭＣＵ３０の入力ポート３０ｂに接続されている。
【００３６】
この構成によれば、給湯温度上昇設定ＳＷ３５ａを押下操作しないときは、給湯温度上昇設定ＳＷ３５ａの他端は、電源Ｖｃｃの電圧レベル（以降、「Ｈレベル」と記す）になるので、ＭＣＵ３０の入力ポート３０ａには、Ｈレベルの給湯温度上昇設定ＳＷ信号が入力される。逆に、給湯温度上昇設定ＳＷ３５ａを押下操作すると、給湯温度上昇設定ＳＷ３５ａの他端は、接地電位のレベル（以降、「Ｌレベル」と記す）になるので、ＭＣＵ３０の入力ポート３０ａには、Ｌレベルの給湯温度上昇設定ＳＷ信号が入力される。
【００３７】
給湯温度下降設定ＳＷ３５ｂについても同様であり、給湯温度下降設定ＳＷ３５ｂを押下操作しないときは、ＭＣＵ３０の入力ポート３０ｂには、Ｈレベルの給湯温度下降設定ＳＷ信号が入力され、給湯温度下降設定ＳＷ３５ｂを押下操作すると、ＭＣＵ３０の入力ポート３０ｂには、Ｌレベルの給湯温度下降設定ＳＷ信号が入力される。
【００３８】
そこで、ＭＣＵ３０は、入力ポート３０ａ，３０ｂが、Ｈレベルであるときは、給湯温度上昇設定ＳＷ３５ａ，給湯温度下降設定ＳＷ３５ｂは設定操作されていないと判断し、Ｌレベルであるときは、給湯温度上昇設定ＳＷ３５ａ，給湯温度下降設定ＳＷ３５ｂは設定操作されたと判断し、これによってユーザによる給湯温度上昇設定ＳＷ３５ａまたは給湯温度下降設定ＳＷ３５ｂの押下操作を検出すると、つまり、入力ポート３０ａ，３０ｂのレベルがＨレベルからＬレベルに変化するのを検出すると、そのたびに、単位温度（例えば１℃）だけ上昇（入力ポート３０ａで検出した場合）または下降（入力ポート３０ｂで検出した場合）させる給湯温度指令値を生成して制御装置１５に送信する。
【００３９】
但し、ＭＣＵ３０は、給湯温度の上昇／下降設定では、上限値／下限値が定められており、その上限値／下限値に到達した場合は、その後もユーザが給湯温度上昇設定ＳＷ３５ａまたは給湯温度下降設定ＳＷ３５ｂを押下操作しても、給湯温度指令値を上限値または下限値に保持するようになっている。なお、上限値は、安全上の理由から６０℃程度に設定されている。また、下限値は、供給される水道水の温度よりも低い給湯温度は制御できないので、３５℃程度に設定されている。
【００４０】
次に、図４は、図２に示すＭＣＵ３０と音声合成ＩＣ３８との関係とを説明する図である。図４に示すように、ＭＣＵ３０は、リセット出力ポート３０ｅと、ＲＥＡＤ出力ポート３０ｆと、ＷＲＩＴＥ出力ポート３０ｇと、ＣＬＯＣＫ出力ポート３０ｈと、ＭＡＳＴＥＲ出力ポート３０ｉと、ＭＡＳＴＥＲ入力ポート３０ｊとを備えている。これに対して音声合成ＩＣ３８は、１対１で対応するリセット入力ポート３８ａと、ＲＥＡＤ入力ポート３８ｂと、ＷＲＩＴＥ入力ポート３８ｃと、ＣＬＯＣＫ入力ポート３８ｄと、ＳＬＡＶＥ入力ポート３８ｅと、ＳＬＡＶＥ出力ポート３８ｆとを備えている。また、音声合成ＩＣ３８は、音声合成信号出力ポート３８ｇを備えている。
【００４１】
ＭＣＵ３０と音声合成ＩＣ３８とは、クロック同期方式でシリアルにデータの送受信を行うようになっている。すなわち、ＭＣＵ３０は、音声合成ＩＣ３８に音声合成を要求するＭＡＳＴＥＲ信号を送信する場合は、ＷＲＩＴＥ出力ポート３０ｇから送出するＷＲＩＴＥ信号をアクティブな状態とし、かつＲＥＡＤ出力ポート３０ｆから送出するＲＥＡＤ信号を非アクティブな状態としてＣＬＯＣＫ出力ポート３０ｈからＣＬＯＣＫ信号を出力し、そのクロックパルスに同期してＭＡＳＴＥＲ出力ポート３０ｉから音声合成ＩＣ３８にＭＡＳＴＥＲ信号を送出する。
【００４２】
音声合成ＩＣ３８は、ＷＲＩＴＥ入力ポート３８ｄに入力するＷＲＩＴＥ信号がアクティブな状態であり、かつＲＥＡＤ入力ポート３８ｂに入力するＲＥＡＤ信号が非アクティブな状態であるので、ＭＡＳＴＥＲ信号の受信体勢を採り、ＣＬＯＣＫ入力ポート３８ｄに入力するＣＬＯＣＫ信号の各クロックパルスに同期して、ＳＬＡＶＥ入力ポート３８ｅへの入力データを読み出し、ＭＣＵ４０から送信される音声合成を要求するＭＡＳＴＥＲ信号を読み取り、音声ガイダンスフレーズデータや可聴音データを記憶保持するＲＯＭをアクセスして指定の音声合成信号を生成する。生成した音声合成信号は、音声合成信号出力ポート３８ｇから増幅器３９に出力されて増幅され、スピーカ４０から音声ガイダンスや注意喚起の可聴音として出力される。
【００４３】
また、ＭＣＵ３０は、音声合成ＩＣ３８に生成した音声合成データの送信を要求する場合は、ＷＲＩＴＥ出力ポート３０ｇから送出するＷＲＩＴＥ信号を非アクティブな状態とし、かつＲＥＡＤ出力ポート３０ｆから送出するＲＥＡＤ信号をアクティブな状態としてＣＬＯＣＫ出力ポート３０ｈからＣＬＯＣＫ信号を出力する。
【００４４】
音声合成ＩＣ３８は、ＷＲＩＴＥ入力ポート３８ｄに入力するＷＲＩＴＥ信号が非アクティブな状態であり、かつＲＥＡＤ入力ポート３８ｂに入力するＲＥＡＤ信号がアクティブな状態であるので、ＳＬＡＶＥ出力信号として生成した音声合成データの送信体勢を採り、ＣＬＯＣＫ入力ポート３８ｄに入力するＣＬＯＣＫ信号の各クロックパルスに同期して、上記のようにＭＣＵ３０の指示に従って生成した音声合成データをＳＬＡＶＥ出力ポート３８ｆから出力する。ＭＣＵ３０は、音声合成ＩＣ３８に出力するＣＬＯＣＫ信号３０ｈの各クロックパルスに同期して、ＭＡＳＴＥＲ入力ポート３０ｊに入力するＳＬＡＶＥ出力信号を読み出すことで、音声合成ＩＣ３８が送信する音声合成データを読み取り、表示装置３７に表示することができるようになっている。
【００４５】
次に、図５を参照して、ＭＣＵ３０がリセット出力ポート３０ｅからリセット信号を出力する場合について説明する。なお、図５は、図２に示すＭＣＵ３０が行う音声合成ＩＣ３８のリセット処理を説明するフローチャートである。図５では、一例として、ユーザが給湯温度設定ＳＷ３５を操作する場合の処理手順が示されている。
【００４６】
図５において、ステップＳ４１では、ＭＣＵ３０は、ユーザが給湯温度設定ＳＷ３５を操作したか否かを監視している。ユーザが、例えば給湯温度上昇設定ＳＷ３５ａを押下操作すると、給湯温度上昇設定ＳＷ信号入力ポート３０ａのレベルがＨレベルからＬレベルに変化するので、ＭＣＵ３０は、ユーザが給湯温度設定ＳＷ３５を操作したと判断し（ステップＳ４１：Ｙｅｓ）、リセット出力ポート３０ｅからリセット信号を出力する（ステップＳ４１）。音声合成ＩＣ３８では、リセット入力ポート３８ａにリセット信号が入力して強制的にリセット処理が行われる。
【００４７】
引き続いて、ＭＣＵ３０は、ユーザが給湯温度設定ＳＷ３５を操作したことに対する応答としてＳＷ操作受付音“ピッ”をユーザに報知するために、ＷＲＩＴＥ出力ポート３０ｇから送出するＷＲＩＴＥ信号をアクティブな状態とし、かつＲＥＡＤ出力ポート３０ｆから送出するＲＥＡＤ信号を非アクティブな状態とし、ＣＬＯＣＫ出力ポート３０ｈからＣＬＯＣＫ信号を出力し、そのクロックパルスに同期して、音声合成ＩＣ３８へのＭＡＳＴＥＲ出力信号として、「再生コマンドデータ」と「電子音“ピッ”データのアドレス」とを生成し、それを順にＭＡＳＴＥＲ出力ポート３０ｉから送出する（ステップ４４）。
【００４８】
音声合成ＩＣ３８は、ＷＲＩＴＥ入力ポート３８ｄに入力するＷＲＩＴＥ信号がアクティブな状態であり、かつＲＥＡＤ入力ポート３８ｂに入力するＲＥＡＤ信号が非アクティブな状態であるので、ＭＡＳＴＥＲ信号の受信体勢を採り、ＣＬＯＣＫ入力ポート３８ｄに入力するＣＬＯＣＫ信号の各クロックパルスに同期して、ＳＬＡＶＥ入力ポート３８ｅへの入力データを読み出し、ＭＣＵ４０から送信される音声合成を要求するＭＡＳＴＥＲ信号を読み取り、ＲＯＭの指定アドレスから電子音“ピッ”データを取り出し、内蔵のＤ／Ａ変換器に適用して電子音“ピッ”のアナログ信号（音声合成信号）を生成する（ステップＳ４５）。生成した音声合成信号「電子音“ピッ”」は、音声合成信号出力ポート３８ｇから増幅器３９に出力されて増幅され、スピーカ４０からユーザにＳＷ操作受付音として出力される。
【００４９】
以上のように、実施の形態１によれば、遠隔制御装置では、音声合成ＩＣに音声合成動作を行わせる場合に、その都度、音声合成指示を出力する直前に音声合成ＩＣにリセットを掛けるので、仮に音声合成ＩＣが暴走していても、確実に復旧させることができ、音声ガイダンスや注意喚起を確実に実施することができる。
【００５０】
実施の形態２．
この実施の形態２では、図６〜図１０を参照して、ユーザの給湯温度設定ＳＷ操作に対する応答として上記したＳＷ操作受付音をユーザに報知する場合に、給湯温度が変更されたことを報知する音声ガイダンスフレーズを続けて出力する場合について説明する。
【００５１】
図６は、この発明の実施の形態２による遠隔制御装置の動作として、図２に示す給湯温度設定ＳＷの操作によって給湯温度が変更された場合の処理手順を説明するフローチャートである。図７〜図１０は、図６に示す各処理手順の詳細を説明するフローチャートである。
【００５２】
図６において、ＭＣＵ３０は、ユーザが給湯温度上昇設定ＳＷ３５ａを操作した場合には、給湯温度上昇設定ＳＷ操作受付処理（ステップＳ５１）を図７に示す手順で実行し、また、ユーザが給湯温度下降設定ＳＷ３５ｂを操作した場合には、給湯温度下降設定ＳＷ操作受付処理（ステップＳ５１）を図８に示す手順で実行するが、引き続いて、ステップＳ５１またはステップＳ５２にて発生した音声合成ＩＣ３８への音声出力要求に対する音声合成ＩＣ操作ドライバ処理（ステップＳ５３）を図９に示す手順で実行し、並行して、音声合成ＩＣ３８への音声出力指示経過時間を監視し、所定時間を経過すると音声合成ＩＣ３８にリセットを掛ける音声合成ＩＣ出力経過時間監視処理（ステップＳ５４）を図１０に示す手順で実行する。以下、図７〜図１０を参照して図６に示す各処理手順を詳細に説明する。
【００５３】
図７は、図６に示す給湯温度上昇設定ＳＷ操作受付処理（ステップＳ５１）の詳細を説明するフローチャートである。図６において、ステップＳ６１では、ＭＣＵ３０は、給湯温度上昇設定ＳＷ信号入力ポート３０ａのレベルがＨレベルであるかＬレベルであるかを調べて給湯温度上昇設定ＳＷ３５ａの操作有無を判断する。ＭＣＵ３０は、給湯温度上昇設定ＳＷ３５ａの操作が行われていない場合は（ステップＳ６１：Ｎｏ）、当該給湯温度上昇設定ＳＷ操作受付処理（ステップＳ５１）をパスするが、給湯温度上昇設定ＳＷ３５ａの操作が行われた場合は（ステップＳ６１：Ｙｅｓ）、まず、現在の給湯温度指令値が上限値であるか否かを判断する（ステップＳ６２）。
【００５４】
その結果、現在の給湯温度指令値が上限値でない場合は（ステップＳ６２：Ｎｏ）、ＭＣＵ３０は、給湯温度指令値を１℃だけ増加させ（ステップＳ６３）、再生中音声停止要求フラグをセットする（ステップＳ６４）。そして、ＭＣＵ３０は、先入れ先出しのキューバッファをクリアし（ステップＳ６５）、そのキューバッファに、まず音声再生要求情報「電子音“ピッ”」を格納し（ステップＳ６６）、続いて音声再生要求情報「音声ガイダンスフレーズ“給湯温度が変更されました”」を格納し（ステップＳ６７）、当該給湯温度上昇設定ＳＷ操作受付処理（ステップＳ５１）を終了する。
【００５５】
一方、ステップＳ６２において、現在の給湯温度指令値が上限値である場合は（ステップＳ６２：Ｙｅｓ）、ＭＣＵ３０は、直ちに再生中音声停止要求フラグをセットする（ステップＳ６８）。そして、ＭＣＵ３０は、先入れ先出しのキューバッファをクリアし（ステップＳ６９）、そのキューバッファに、まず音声再生要求情報「電子音“ピッ”」を格納し（ステップＳ７０）、続いて音声再生要求情報「音声ガイダンスフレーズ“給湯温度は変更できません”」を格納し（ステップＳ７１）、当該給湯温度上昇設定ＳＷ操作受付処理（ステップＳ５１）を終了する。
【００５６】
図８は、図６に示す給湯温度下降設定ＳＷ操作受付処理（ステップＳ５２）の詳細を説明するフローチャートである。図８において、ステップＳ７５では、ＭＣＵ３０は、給湯温度下降設定ＳＷ信号入力ポート３０ｂのレベルがＨレベルであるかＬレベルであるかを調べて給湯温度下降設定ＳＷ３５ｂの操作有無を判断する。ＭＣＵ３０は、給湯温度下降設定ＳＷ３５ｂの操作が行われていない場合は（ステップＳ７５：Ｎｏ）、当該給湯温度下降設定ＳＷ操作受付処理（ステップＳ５２）をパスするが、給湯温度下降設定ＳＷ３５ｂの操作が行われた場合は（ステップＳ７５：Ｙｅｓ）、まず、現在の給湯温度指令値が下限値であるか否かを判断する（ステップＳ７６）。
【００５７】
その結果、現在の給湯温度指令値が下限値でない場合は（ステップＳ７６：Ｎｏ）、ＭＣＵ３０は、給湯温度指令値を１℃だけ減少させ（ステップＳ７７）、再生中音声停止要求フラグをセットする（ステップＳ７８）。そして、ＭＣＵ３０は、先入れ先出しのキューバッファをクリアし（ステップＳ７９）、そのキューバッファに、まず音声再生要求情報「電子音“ピッ”」を格納し（ステップＳ８０）、続いて音声再生要求情報「音声ガイダンスフレーズ“給湯温度が変更されました”」を格納し（ステップＳ８１）、当該給湯温度下降設定ＳＷ操作受付処理（ステップＳ５２）を終了する。
【００５８】
一方、ステップＳ７６において、現在の給湯温度指令値が下限値である場合は（ステップＳ７６：Ｙｅｓ）、ＭＣＵ３０は、直ちに再生中音声停止要求フラグをセットする（ステップＳ８２）。そして、ＭＣＵ３０は、先入れ先出しのキューバッファをクリアし（ステップＳ８３）、そのキューバッファに、まず音声再生要求情報「電子音“ピッ”」を格納し（ステップＳ８４）、続いて音声再生要求情報「音声ガイダンスフレーズ“給湯温度は変更できません”」を格納し（ステップＳ８５）、当該給湯温度下降設定ＳＷ操作受付処理（ステップＳ５２）を終了する。
【００５９】
図９は、図６に示す音声合成ＩＣ操作ドライバ処理（ステップＳ５３）の詳細を説明するフローチャートである。図９において、ＭＣＵ３０は、現在のキューバッファは全ての再生要求が取り出された状態であるか否かを調べて音声出力要求の有無を判断し（ステップＳ９１）、現在のキューバッファが全ての再生要求が取り出された状態である場合は（ステップＳ９１：Ｙｅｓ）、当該音声合成ＩＣ操作ドライバ処理（ステップＳ５３）をパスするが、現在のキューバッファに再生要求が残っている場合は（ステップＳ９１：Ｎｏ）、ステップＳ９２に進む。
【００６０】
ステップＳ９２では、ＭＣＵ３０は、前回の処理タイミングにおいてキューバッファに音声出力要求があったか否かを調べる。その結果、前回の処理タイミングにおいてキューバッファが空であった場合は（ステップＳ９２：Ｙｅｓ）、ＭＣＵ３０は、現在の状態が音声出力要求の無い状態から有る状態に変化した直後の状態であるので、音声合成ＩＣ３８にリセットを掛けて（ステップ９５）、当該音声合成ＩＣ操作ドライバ処理（ステップＳ５３）を終了するが、前回の処理タイミングにおいてキューバッファが空で無かった場合は（ステップＳ９２：Ｎｏ）、ステップＳ９３に進む。
【００６１】
ステップＳ９３では、ＭＣＵ３０は、図７におけるステップＳ６８または図８におけるステップＳ８２において、再生中音声停止要求フラグがセットされたか否かを調べる。その結果、再生中音声停止要求フラグがセットされていない場合は（ステップＳ９３：Ｎｏ）、ステップＳ９４に進むが、再生中音声停止要求フラグがセットされている場合は（ステップＳ９３：Ｙｅｓ）、現在も音声ガイダンスが出力されている場合があるので、現在も音声ガイダンスが出力されている場合は、音声合成ＩＣ３８に再生停止コマンドを送信して（ステップＳ９６）現在の音声出力をその出力が完了するのを待たずに停止させ、再生中音声停止要求フラグをクリアする（ステップＳ９７）。つまり、ステップＳ９６は、現在音声ガイダンスが出力されていない場合は、実行されない。
【００６２】
このように、前回の処理タイミングにおいてキューバッファが空でなく（ステップＳ９２：Ｎｏ）、再生中音声停止要求フラグがセットされていない場合は（ステップＳ９３：Ｎｏ）、新規の再生要求による音声出力が可能な状態に設定してから、当該音声合成ＩＣ操作ドライバ処理（ステップＳ５３）を終了する。
【００６３】
次に、ステップＳ９４では、音声合成ＩＣ３８が再生コマンドを受け付け可能な状態であるか否か調べる。その結果、音声合成ＩＣ３８が再生コマンドを受け付け可能な状態でない場合は（ステップＳ９４：Ｎｏ）、そのまま当該音声合成ＩＣ操作ドライバ処理（ステップＳ５３）を終了するが、音声合成ＩＣ３８が再生コマンドを受け付け可能な状態である場合は（ステップＳ９４：Ｙｅｓ）、ＭＣＵ３０は、キューバッファから先入れされている再生要求データを抜き出し（ステップＳ９８）、抜き出した再生要求データを再生するコマンドを音声合成ＩＣ３８へ送信する（ステップＳ９９）。
【００６４】
これによって、音声合成ＩＣ３８は、受信したコマンドに基づき音声合成信号の出力を開始するので、ＭＣＵ３０は、出力指示経過時間計測タイマーを起動するとともに（ステップＳ１００）、出力指示経過時間計測タイマータイムアウトフラグをクリアし（ステップＳ１００）、当該音声合成ＩＣ操作ドライバ処理（ステップＳ５３）を終了する。
【００６５】
なお、ステップＳ１００において計測する出力指示経過時間は、再生指示したフレーズの時間に応じてそれぞれ設定しても良く、最も長いフレーズ再生時間程度に合わせても良く、さらに、それらに余裕時間を付加しても良い。つまり、ステップＳ１００において計測する出力指示経過時間は、装置に要求される性能や信頼性、環境条件、部品の特性等の条件を勘案して決めれば良い。
【００６６】
次に、図１０は、図６に示す音声合成ＩＣ出力経過時間監視処理（ステップＳ５４）の詳細を説明するフローチャートである。図１０において、ＭＣＵ３０は、音声合成ＩＣ３８に発行した出力指示の経過時間を監視し（ステップＳ１０５）、所定時間を経過していない場合は（ステップＳ１０５：Ｎｏ）、当該音声合成ＩＣ出力経過時間監視処理（ステップＳ５４）をパスするが、所定時間を経過した場合は（ステップＳ１０５：Ｙｅｓ）、ＭＣＵ３０は、まず、出力経過時間計測タイマータイムアウトフラグがセットされているか否かを調べる（ステップＳ１０６）。
【００６７】
その結果、出力経過時間計測タイマータイムアウトフラグがセットされている場合は（ステップＳ１０６：Ｙｅｓ）は、そのまま当該音声合成ＩＣ出力経過時間監視処理（ステップＳ５４）を終了するが、出力経過時間計測タイマータイムアウトフラグがセットされていない場合は（ステップＳ１０６：Ｎｏ）は、ＭＣＵ３０は、出力指示経過時間タイムアウトフラグをセットし（ステップ１０７）、音声合成ＩＣ３８にリセットを掛けて（ステップＳ１０８）、当該音声合成ＩＣ出力経過時間監視処理（ステップＳ５４）を終了する。
【００６８】
なお、ステップＳ１０６，Ｓ１０７，Ｓ１０８の各処理は、出力指示経過時間計測タイマーがタイムアウトした場合に、一度だけリセットを掛けるための処理であるが、リセットを複数回掛ける形態を採っても良い。これは、装置に要求される性能や信頼性や環境条件、部品の特性等の条件を総合的に勘案して決めれば良い。
【００６９】
以上のように、実施の形態２によれば、音声合成ＩＣに出力指示を発行してからの経過時間が所定時間を経過した場合に音声合成ＩＣにリセットを掛けるので、一度音声合成ＩＣに音声合成信号の出力指示を発行すると、音声合成ＩＣの出力開始や出力終了に依存せずに、必ず音声合成ＩＣにリセットを掛けることができる。したがって、信頼性をより一層高めることができる。
【００７０】
実施の形態３．
この実施の形態３では、音声合成ＩＣにリセットを掛ける処理形態の変形態様を説明する。図１１は、この発明の実施の形態３による遠隔制御装置における音声合成ＩＣにリセットを掛ける回路の一例を示す回路図である。
【００７１】
図４では、ＭＣＵ３０のリセット出力ポート３０ｅと音声合成ＩＣ３８のリセット入力ポート３８ａとを直接接続して、ＭＣＵ３０から音声合成ＩＣに直接リセットを掛ける構成を示したが、この実施の形態３による音声合成ＩＣにリセットを掛ける回路は、図１１に示すように、例えばトランジスタなどのスイッチング素子で構成されるスイッチング回路５１と、タイマーを備えるリセットＩＣ５２とで構成される。
【００７２】
スイッチング回路５１の入力ポートは、ＭＣＵ３０の電源操作信号出力ポート３０ｐに接続され、スイッチング回路５１の出力ポートは、音声合成ＩＣ３８の電源ポート３８ｐとリセットＩＣ５２の入力ポートとに接続されている。そして、リセットＩＣ５２の出力ポートは、音声合成ＩＣ３８のリセット入力ポート３８ａに接続されている。
【００７３】
スイッチング回路５１は、ＭＣＵ３０の電源操作信号出力ポート３０ｐが例えばＨレベルである場合、電源Ｖｃｃを音声合成ＩＣ３８の電源ポート３８ｐとリセットＩＣ５２の入力ポートとに接続してそれぞれに電源Ｖｃｃを供給し、ＭＣＵ３０の電源操作信号出力ポート３０ｐがＬレベルである場合、電源Ｖｃｃと音声合成ＩＣ３８の電源ポート３８ｐ及びリセットＩＣ５２の入力ポートとの接続を断ち、それぞれへの電源供給を遮断する動作を行うようになっている。
【００７４】
リセットＩＣ５２は、スイッチング回路５１を介して入力ポートに供給される電源Ｖｃｃの立ち上がりエッジに応答してタイマーが作動し、所定時間経過後に音声合成ＩＣ３８のリセット入力ポート３８ａにリセット信号を印加するようになっている。
【００７５】
次に、図１２〜図１３を参照して、この実施の形態３による音声合成ＩＣにリセットを掛ける動作について説明する。なお、図１２は、図６に示す音声合成ＩＣ操作ドライバ処理（ステップＳ５３）を実施の形態３による方法で実施する場合の詳細を説明するフローチャートである。また、図１３は、図６に示す音声合成ＩＣ出力経過時間監視処理（ステップＳ５４）を実施の形態３による方法で実施する場合の詳細を説明するフローチャートである。
【００７６】
まず、図１２を参照して、図６に示す音声合成ＩＣ操作ドライバ処理（ステップＳ５３）を実施の形態３による方法で実施する場合を説明する。なお、図１２では、図９においてステップ９５がステップ１１１に変更になっている。その他は、図９と同様である。ここでは、この実施の形態３に関わる部分を中心に説明する。
【００７７】
すなわち、図１２において、ステップ１１１では、ＭＣＵ３０は、電源操作信号出力ポート４０ｐからＨレベルの音声合成ＩＣ用電源操作信号を出力する。すると、スイッチング回路５１が、音声合成ＩＣ３８の電源ポートを電源Ｖｃｃと接続し音声合成動作が可能な状態にする。同時に、リセットＩＣ５２では、所定の経過時間を計測する動作が開始され、所定の経過時間を経過すると、リセットＩＣ５２から音声合成ＩＣ３８のリセット入力ポート３８ａにリセット信号が印加される。これによって、図９におけるステップ９５と同様に、音声合成ＩＣ３８に音声合成信号の出力指示を発行する直前に、確実に、音声合成ＩＣ３８にリセットを掛けることができる。
【００７８】
次に、図１３を参照して、図６に示す音声合成ＩＣ出力経過時間監視処理（ステップＳ５４）を実施の形態３による方法で実施する場合を説明する。なお、図１３では、図１０においてステップ１０８がステップ１１５に変更になっている。その他は、図１０と同様である。ここでは、この実施の形態３に関わる部分を中心に説明する。
【００７９】
すなわち、図１３において、ステップ１１５では、ＭＣＵ３０は、電源操作信号出力ポート４０ｐからＬレベルの音声合成ＩＣ用電源操作信号を出力する。すると、スイッチング回路５１が、音声合成ＩＣ３８の電源ポートと電源Ｖｃｃとの接続を遮断し音声合成ＩＣ３８への電源供給を停止する。これによって、待機電力を低減できるという効果が得られる。また、音声合成ＩＣ３８への電源供給を停止するので、図１０におけるステップ１０８でのリセット処理以上の効果が得られる。
【００８０】
以上のように、実施の形態３によれば、ＭＣＵ３０の指示に従って音声合成ＩＣ３８への電源供給とその停止とを行う電源操作手段であるスイッチング回路５１を設けたので、ＭＣＵ３０は、当該給湯装置の待機時に、スイッチング回路５１に音声合成ＩＣ３８への電源供給を停止させることで、消費電力を低減させることができる。
【００８１】
また、スイッチング回路が音声合成ＩＣ３８に電源供給を開始するのに応答して所定時間経過後に音声合成ＩＣ３８にリセットを掛けるリセットＩＣ５２を設けたので、ＭＣＵ３０は、音声合成信号の出力指示を発行するのと連動してスイッチング回路５１に音声合成ＩＣ３８への電源供給を開始させるだけで、音声合成信号の出力指示を発行してから所定時間経過後に、音声合成ＩＣ３８をリセットすることができる。
【００８２】
そして、ＭＣＵ３０は、音声合成信号の出力指示を発行する前にスイッチング回路５１に音声合成ＩＣ３８への電源供給を開始させるとともに、実施の形態１に示した方法でＭＣＵ３０から音声合成ＩＣ３８に直接リセットを掛けられるようにすれば、２段階に渡って音声合成ＩＣ３８をリセットすることができるので、暴走が発生しても一層確実に復旧させることができ、信頼性を実施の形態１よりも高めることができる。
【００８３】
なお、この実施の形態３では、音声合成ＩＣ３８への電源供給を操作する場合を示したが、例えば、音声合成ＩＣ３８がスリープモードや発振を停止させる機構（電源操作手段）を有し省電力状態に保持可能であれば、電源供給を操作する方法に代えて、通常状態とスリープモードや発振を停止させることによる省電力状態とを切り替える方法を用いても良い。音声合成ＩＣ３８が、例えば、発振を停止させることによる省電力状態に保持可能であれば、電力消費を低減できるだけでなく、発振の停止によって動作を停止しているので、暴走しないという効果が得られる。
【００８４】
また、以上説明した実施の形態１〜３では、音声合成信号出力手段として、音声合成ＩＣ３８を取り上げたが、音声合成ＩＣ３８に代えて、以下のような種々の態様を採ることができる。
【００８５】
例えば、ＭＣＵ３０のメモリや処理能力に余裕があれば、ＭＣＵ３０に音声合成ＩＣ３８と同様の音声合成処理を実行させ、そのＭＣＵ３０にＤ／Ａ変換器を接続することによって、音声合成ＩＣ３８と同様の音声合成信号を出力する構成を採ることができる。
【００８６】
また、ＭＣＵ３０の他に、音声合成ＩＣ３８と同様の音声合成処理を実行するＭＣＵを新たに設け、そのＭＣＵに内蔵しているＤ／Ａ変換器、または外付けのＤ／Ａ変換器から音声合成信号を出力させる構成も採ることができる。
【００８７】
そして、新たに設けるＭＣＵがスリープモードによる省電力状態を保持できる機能があれば、実施の形態３に示した電源供給を操作する方法あるいはスリープモードによる省電力状態と通常状態とを切り替える方法を用いる構成も採ることができる。
【００８８】
また、この明細書では、貯湯方式の給湯装置を示したが、この発明は、これに限定されるものではなく、一般に、ユーザに対して音声ガイダンスや注意喚起を報知できる機構を備えた遠隔制御装置を装備する給湯装置に適用できるものである。
【産業上の利用可能性】
【００８９】
以上のように、この発明にかかる給湯装置の遠隔制御装置は、音声合成ＩＣ等の音声合成信号出力手段が暴走しても確実に復旧させてユーザに音声ガイダンスや注意喚起を報知するのに有用である。
【００９０】
また、この発明にかかる給湯装置の遠隔制御装置は、２４時間連続稼働する状況下において待機電力の低減を図るのに有用である。
【図面の簡単な説明】
【００９１】
【図１】この発明の実施の形態１による遠隔制御装置を備えた給湯装置の構成を示す図である。
【図２】図１に示す遠隔制御装置の構成例を示すブロック図である。
【図３】図２に示す給湯温度設定ＳＷの構成例及びＭＣＵとの関係とを説明する図である。
【図４】図２に示すＭＣＵと音声合成ＩＣとの関係とを説明する図である。
【図５】図２に示すＭＣＵが行う音声合成ＩＣのリセット処理を説明するフローチャートである。
【図６】この発明の実施の形態２による遠隔制御装置の動作として、図２に示す給湯温度設定ＳＷの操作によって給湯温度が変更された場合の処理手順を説明するフローチャートである。
【図７】図６に示す給湯温度上昇設定ＳＷ操作受付処理（ステップＳ５１）の詳細を説明するフローチャートである。
【図８】図６に示す給湯温度下降設定ＳＷ操作受付処理（ステップＳ５２）の詳細を説明するフローチャートである。
【図９】図６に示す音声合成ＩＣ操作ドライバ処理（ステップＳ５３）の詳細を説明するフローチャートである。
【図１０】図６に示す音声合成ＩＣ出力経過時間監視処理（ステップＳ５４）の詳細を説明するフローチャートである。
【図１１】この発明の実施の形態３による遠隔制御装置における音声合成ＩＣにリセットを掛ける回路の一例を示す回路図である。
【図１２】図６に示す音声合成ＩＣ操作ドライバ処理（ステップＳ５３）を実施の形態３による方法で実施する場合の詳細を説明するフローチャートである。
【図１３】図６に示す音声合成ＩＣ出力経過時間監視処理（ステップＳ５４）を実施の形態３による方法で実施する場合の詳細を説明するフローチャートである。
【符号の説明】
【００９２】
１０  給湯装置
１１  貯湯タンク
１２  ヒートポンプ本体
１３  給湯用混合弁
１４ａ，１４ｂ，１４ｃ  温度センサ
１５  制御装置
１６  遠隔制御装置
２０  給水配管
２１  給水バイパス配管
２２  出湯配管
２３  給湯配管
２４  一般給湯管
２５  蛇
２６  加熱循環回路
３０  マイクロコントロールユニット（ＭＣＵ）
３０ａ  給湯温度上昇設定ＳＷ信号入力ポート
３０ｂ  給湯温度下降設定ＳＷ信号入力ポート
３０ｅ  リセット出力ポート
３０ｆ  ＲＥＡＤ出力ポート
３０ｇ  ＷＲＩＴＥ出力ポート
３０ｈ  ＣＬＯＣＫ出力ポート
３０ｉ  ＭＡＳＴＥＲ出力ポート
３０ｊ  ＭＡＳＴＥＲ入力ポート
３０ｐ  音声合成ＩＣ用電源操作信号出力ポート
３１  通信インタフェース（通信Ｉ／Ｆ）
３２，３４  スイッチ入力インタフェース（ＳＷ入力Ｉ／Ｆ）
３３  沸き上げ湯量設定スイッチ（沸き上げ湯量設定ＳＷ）
３５  給湯温度設定スイッチ（給湯温度設定ＳＷ）
３５ａ  給湯温度上昇設定スイッチ（給湯温度上昇設定ＳＷ）
３５ｂ  給湯温度下降設定スイッチ（給湯温度下降設定ＳＷ）
３６  表示装置インタフェース（表示装置Ｉ／Ｆ）
３７  表示装置
３８  音声合成ＩＣ（音声合成信号出力手段）
３８ａ  リセット入力ポート
３８ｂ  ＲＥＡＤ入力ポート
３８ｃ  ＷＲＩＴＥ入力ポート
３８ｄ  ＣＬＯＣＫ入力ポート
３８ｅ  ＳＬＡＶＥ入力ポート
３８ｆ  ＳＬＡＶＥ出力ポート
３８ｐ  電源ポート
３９  増幅器
４０  スピーカ
５１  スイッチング回路
５２  リセットＩＣ
【図１】
2008185227.tif 000003
【図２】
2008185227.tif 000004
【図３】
2008185227.tif 000005
【図４】
2008185227.tif 000006
【図５】
2008185227.tif 000007
【図６】
2008185227.tif 000008
【図７】
2008185227.tif 000009
【図８】
2008185227.tif 000010
【図９】
2008185227.tif 000011
【図１０】
2008185227.tif 000012
【図１１】
2008185227.tif 000013
【図１２】
2008185227.tif 000014
【図１３】
2008185227.tif 000015